(57)【要約】本発明の１つの対象は移動体通信システムにおける高ビットレートサービスのサポートのための方法であり、その方法は、ネットワークエンティティが移動局に、ブロードバンドアクセスネットワークを介したアクセスの場合に使用されるシグナリング手順に従って、非ブロードバンドアクセスネットワークを介したアクセスの場合に規定される最大ビットレートよりも高い少なくとも１つのビットレートを、その非ブロードバンドアクセスネットワークを介したアクセスの場合に使用されるシグナリング手順によって規定されたビットレートに基づいて、シグナリングするステップからなる。
2009524958.tif 000002
【特許請求の範囲】
【請求項１】
移動体通信システムにおける高ビットレートサービスのサポートのための方法であって、
ネットワークエンティティが移動局に、ブロードバンドアクセスネットワークを介したアクセスの場合に使用されるシグナリング手順に従って、非ブロードバンドアクセスネットワークを介したアクセスの場合に規定される最大ビットレートよりも高い少なくとも１つのビットレートを、前記非ブロードバンドアクセスネットワークを介したアクセスの場合に使用されるシグナリング手順によって規定されたビットレートに基づいて、シグナリングするステップからなる方法。
【請求項２】
請求項１の方法において、前記最大ビットレートがＴＤＭＡを用いる非ブロードバンドアクセスネットワークの単一のタイムスロットにおいてサポートされる最大ビットレートである方法。
【請求項３】
請求項１又は２の方法において、前記シグナリングするステップが、前記単一のタイムスロットの最大ビットレートよりも低いか等しいビットレートに対応する第１の情報、及び前記最大ビットレートのよりも高いビットレートを示すことを前記第１の情報との組み合わせにおいて可能とする第２の情報のシグナリングからなる方法。
【請求項４】
請求項３の方法において、前記第２の情報が乗算ファクタに相当する方法。
【請求項５】
請求項１、２又は３の方法において、前記シグナリングするステップが、前記最大ビットレートよりも低いか等しい複数のビットレートのシグナリングからなり、併せて、前記最大ビットレートのよりも高いビットレートを示すことを可能とする方法。
【請求項６】
請求項５の方法において、前記複数のビットレートのシグナリングがＴＤＭＡを用いる非ブロードバンドアクセスネットワークを介したアクセスの場合におけるマルチスロット構成の記述に使用される手順に基づく方法。
【請求項７】
請求項１又は２の方法において、前記シグナリングするステップが前記最大ビットレートよりも高いビットレートのシグナリングからなる方法。
【請求項８】
請求項１から７いずれか一項の方法において、前記ブロードバンドアクセスネットワークが非ライセンスモバイルアクセスネットワークに対応し、前記シグナリングするステップが非ライセンスネットワークコントローラによる前記移動局へのＵＭＡ ＲＲ アクティベートチャネルメッセージの送信からなる方法。
【請求項９】
請求項１から７いずれか一項の方法において、前記ブロードバンドアクセスネットワークがジェネリックアクセスネットワークに対応し、前記シグナリングするステップがジェネリックアクセスネットワークコントローラによる前記移動局へのＧＡ−ＣＳＲアクティベートチャネルメッセージの送信からなる方法。
【請求項１０】
請求項１から９いずれか一項の方法において、前記非ブロードバンドアクセスネットワークがＧＳＭの基地局サブシステムに対応し、前記非ブロードバンドアクセスネットワークを介したアクセスの場合に使用されるシグナリング手順が前記基地局サブシステムによる割当て命令メッセージの移動局への送信からなる方法。
【請求項１１】
移動体通信ネットワークのためのネットワークエンティティであって、請求項１から１０いずれか一項の方法を実行するための手段からなるネットワークエンティティ。
【請求項１２】
移動局であって、請求項１から１０いずれか一項の方法を実行するための手段からなる移動局。
【請求項１３】
ブロードバンドアクセスネットワークを介したアクセスの場合に使用されるシグナリング手順に従って、非ブロードバンドアクセスネットワークを介したアクセスの場合に規定される最大ビットレートよりも高い少なくとも１つのビットレートを、前記非ブロードバンドアクセスネットワークを介したアクセスの場合に使用されるシグナリング手順によって規定されたビットレートに基づいて、移動局にシグナリングするための手段からなる移動体通信システムのためのネットワークエンティティ。
【請求項１４】
ブロードバンドアクセスネットワークを介したアクセスの場合に使用されるシグナリング手順に従って、非ブロードバンドアクセスネットワークを介したアクセスの場合に規定される最大ビットレートよりも高い少なくとも１つのビットレートを、前記非ブロードバンドアクセスネットワークを介したアクセスの場合に使用されるシグナリング手順によって規定されたビットレートに基づいて、受信するための手段からなる移動局。
【請求項１５】
非ライセンスモバイルアクセスネットワークＵＭＡＮ／ジェネリックアクセスネットワークＧＡＮにおける非ライセンスネットワークコントローラＵＮＣ／ジェネリックアクセスネットワークコントローラＧＡＮＣと移動局との間のインターフェイス上でのビットレート情報のシグナリングのための方法であって、
前記ＵＮＣ／ＧＡＮＣが前記移動局にアクティベートチャネルＵＲＲ／ＧＡ−ＣＳＲメッセージを送信するステップであって、前記メッセージがＧＳＭネットワークにおける基地局サブシステムＢＳＳと移動局との間のインターフェイス上で送信された割当て命令メッセージのチャネルモード情報要素として符号化されたチャネルモード情報要素を含み、前記符号化が、ＢＳＳと移動局との間のインターフェイス上の単一タイムスロットによってサポートされる最大ビットレートより高くないビットレート値が前記チャネルモード情報要素において設定されるように符号化するものであり、前記アクティベートチャネルＵＲＲ／ＧＡ−ＣＳＲメッセージがさらに乗算ファクタパラメータを含み、前記シグナリングされたビットレート情報が、前記アクティベートチャネルＵＲＲ／ＧＡ−ＣＳＲメッセージのチャネルモード情報要素において前記符号化によって設定された少なくとも１つのビットレート値に前記乗算ファクタパラメータを乗算することによって得られる、ステップからなる方法。
【請求項１６】
非ライセンスモバイルアクセスネットワークＵＭＡＮ／ジェネリックアクセスネットワークＧＡＮのための非ライセンスネットワークコントローラＵＮＣ／ジェネリックアクセスネットワークコントローラＧＡＮＣであって、
ビットレート情報を移動体にシグナリングするための手段からなり、該手段が前記移動局にアクティベートチャネルＵＲＲ／ＧＡ−ＣＳＲメッセージを送信するための手段からなり、前記メッセージがＧＳＭネットワークにおける基地局サブシステムＢＳＳと移動局との間のインターフェイス上で送信された割当て命令メッセージのチャネルモード情報要素として符号化されたチャネルモード情報要素を含み、前記符号化が、ＢＳＳと移動局との間のインターフェイス上の単一タイムスロットによってサポートされる最大ビットレートより高くないビットレート値が前記チャネルモード情報要素において設定されるように符号化するものであり、前記アクティベートチャネルＵＲＲ／ＧＡ−ＣＳＲメッセージがさらに乗算ファクタパラメータを含み、前記シグナリングされたビットレート情報が、前記アクティベートチャネルＵＲＲ／ＧＡ−ＣＳＲメッセージのチャネルモード情報要素において前記符号化によって設定された少なくとも１つのビットレート値に前記乗算ファクタパラメータを乗算することによって得られることを特徴とする非ライセンスネットワークコントローラＵＮＣ／ジェネリックアクセスネットワークコントローラＧＡＮＣ。
【請求項１７】
非ライセンスモバイルアクセスネットワークＵＭＡＮ／ジェネリックアクセスネットワークＧＡＮのための非ライセンスネットワークコントローラＵＮＣ／ジェネリックアクセスネットワークコントローラＧＡＮＣによってシグナリングされるビットレート情報を受信するための手段からなる移動局であって、前記手段が、
前記ＵＮＣ／ＧＡＮＣからアクティベートチャネルＵＲＲ／ＧＡ−ＣＳＲメッセージを受信するための手段であって、前記メッセージがＧＳＭネットワークにおける基地局サブシステムＢＳＳと移動局との間のインターフェイス上で送信された割当て命令メッセージのチャネルモード情報要素として符号化されたチャネルモード情報要素を含み、前記符号化が、ＢＳＳと移動局との間のインターフェイス上の単一タイムスロットによってサポートされる最大ビットレートより高くないビットレート値が前記チャネルモード情報要素において設定されるように符号化するものであり、前記アクティベートチャネルＵＲＲ／ＧＡ−ＣＳＲメッセージがさらに乗算ファクタパラメータを含む、手段、及び
前記シグナリングされたビットレート情報を取得するために、前記アクティベートチャネルＵＲＲ／ＧＡ−ＣＳＲメッセージのチャネルモード情報要素における前記符号化によって設定された少なくとも１つのビットレート値に前記乗算ファクタパラメータを乗算するための手段
からなる移動局。
【請求項１８】
非ライセンスモバイルアクセスネットワークＵＭＡＮ／ジェネリックアクセスネットワークＧＡＮにおける非ライセンスネットワークコントローラＵＮＣ／ジェネリックアクセスネットワークコントローラＧＡＮＣと移動局との間のインターフェイス上でのビットレート情報のシグナリングのための方法であって、
前記ＵＮＣ／ＧＡＮＣが移動局にアクティベートチャネルＵＲＲ／ＧＡ−ＣＳＲメッセージを送信するステップであって、前記メッセージがＧＳＭネットワークにおけるＢＳＳと移動局との間のインターフェイス上で送信された割当て命令メッセージのチャネルセット情報要素のモードとして符号化された複数のチャネルセット情報要素のモードを含み、前記符号化が、基地局サブシステムＢＳＳと移動局との間のインターフェイス上における単一タイムスロットによってサポートされる最大ビットレートより高くないビットレート値がチャネルセット情報要素のモードにおいて設定されるように符号化するものであり、前記シグナリングされたビットレート情報が、前記アクティベートチャネルＵＲＲ／ＧＡ−ＣＳＲメッセージの複数のチャネルセット情報要素のモードにおいて前記符号化によって設定された複数のビットレート値の加算によって得られる、ステップからなる方法。
【請求項１９】
非ライセンスモバイルアクセスネットワークＵＭＡＮ／ジェネリックアクセスネットワークＧＡＮのための非ライセンスネットワークコントローラＵＮＣ／ジェネリックアクセスネットワークコントローラＧＡＮＣであって、
ビットレート情報を移動局に送信するための手段からなり、該手段が移動局にアクティベートチャネルＵＲＲ／ＧＡ−ＣＳＲメッセージを送信するための手段からなり、前記メッセージがＧＳＭネットワークにおけるＢＳＳと移動局との間のインターフェイス上で送信された割当て命令メッセージのチャネルセット情報要素のモードとして符号化された複数のチャネルセット情報要素のモードを含み、前記符号化が、基地局サブシステムＢＳＳと移動局との間のインターフェイス上における単一タイムスロットによってサポートされる最大ビットレートより高くないビットレート値がチャネルセット情報要素のモードにおいて設定されるように符号化するものであり、前記シグナリングされたビットレート情報が、前記アクティベートチャネルＵＲＲ／ＧＡ−ＣＳＲメッセージの複数のチャネルセット情報要素のモードにおいて前記符号化によって設定された複数のビットレート値の加算によって得られることを特徴とする非ライセンスネットワークコントローラＵＮＣ／ジェネリックアクセスネットワークコントローラＧＡＮＣ。
【請求項２０】
非ライセンスモバイルアクセスネットワークＵＭＡＮ／ジェネリックアクセスネットワークＧＡＮのための非ライセンスネットワークコントローラＵＮＣ／ジェネリックアクセスネットワークコントローラＧＡＮＣによってシグナリングされるビットレート情報を受信するための手段からなる移動局であって、前記手段が、
前記ＵＮＣ／ＧＡＮＣからアクティベートチャネルＵＲＲ／ＧＡ−ＣＳＲメッセージを受信するための手段であって、前記メッセージがＧＳＭネットワークにおけるＢＳＳと移動局との間のインターフェイス上で送信された割当て命令メッセージのチャネルセット情報要素のモードとして符号化された複数のチャネルセット情報要素のモードを含み、前記符号化が、基地局サブシステムＢＳＳと移動局との間のインターフェイス上における単一タイムスロットによってサポートされる最大ビットレートより高くないビットレート値がチャネルセット情報要素のモードにおいて設定されるように符号化するものである、手段、及び
前記シグナリングされたビットレート情報を取得するために、前記アクティベートチャネルＵＲＲ／ＧＡ−ＣＳＲメッセージの複数のチャネルセット情報要素のモードにおいて前記符号化によって設定された複数のビットレート値を加算するための手段
からなる移動局。
【請求項２１】
非ライセンスモバイルアクセスネットワークＵＭＡＮ／ジェネリックアクセスネットワークＧＡＮにおける非ライセンスネットワークコントローラＵＮＣ／ジェネリックアクセスネットワークコントローラＧＡＮＣと移動局との間のインターフェイス上でのビットレート情報のシグナリングのための方法であって、
前記ＵＮＣ／ＧＡＮＣが前記移動局にアクティベートチャネルＵＲＲ／ＧＡ−ＣＳＲメッセージを送信するステップであって、前記メッセージがＧＳＭネットワークにおける基地局サブシステムＢＳＳと移動局との間のインターフェイス上で送信された割当て命令メッセージのチャネルモード情報要素のモードとして符号化されたチャネルモード情報要素を含み、前記符号化が、ＢＳＳと移動局との間のインターフェイス上における単一タイムスロットによってサポートされる最大ビットレートより高いビットレート値が前記チャネルモード情報要素において設定され得るように符号化するものであり、前記シグナリングされたビットレート情報が、前記アクティベートチャネルＵＲＲ／ＧＡ−ＣＳＲメッセージのチャネルモード情報要素において前記符号化によって設定された、前記最大ビットレートよりも高い少なくとも１つのビットレート値に対応する、ステップからなる方法。
【請求項２２】
非ライセンスモバイルアクセスネットワークＵＭＡＮ／ジェネリックアクセスネットワークＧＡＮのための非ライセンスネットワークコントローラＵＮＣ／ジェネリックアクセスネットワークコントローラＧＡＮＣであって、
ビットレート情報を移動局にシグナリングするための手段からなり、該手段が移動局にアクティベートチャネルＵＲＲ／ＧＡ−ＣＳＲメッセージを送信するための手段からなり、前記メッセージがＧＳＭネットワークにおける基地局サブシステムＢＳＳと移動局との間のインターフェイス上で送信された割当て命令メッセージのチャネルモード情報要素のモードとして符号化されたチャネルモード情報要素を含み、前記符号化が、ＢＳＳと移動局との間のインターフェイス上における単一タイムスロットによってサポートされる最大ビットレートより高いビットレート値が前記チャネルモード情報要素において設定され得るように符号化するものであり、前記シグナリングされたビットレート情報が、前記アクティベートチャネルＵＲＲ／ＧＡ−ＣＳＲメッセージのチャネルモード情報要素において前記符号化によって設定された、前記最大ビットレートよりも高い少なくとも１つのビットレート値に対応することを特徴とする非ライセンスネットワークコントローラＵＮＣ／ジェネリックアクセスネットワークコントローラＧＡＮＣ。
【請求項２３】
非ライセンスモバイルアクセスネットワークＵＭＡＮ／ジェネリックアクセスネットワークＧＡＮのための非ライセンスネットワークコントローラＵＮＣ／ジェネリックアクセスネットワークコントローラＧＡＮＣによってシグナリングされるビットレート情報を受信するための手段からなる移動局であって、
前記手段が、前記ＵＮＣ／ＧＡＮＣからアクティベートチャネルＵＲＲ／ＧＡ−ＣＳＲメッセージを受信するための手段からなり、前記メッセージがＧＳＭネットワークにおける基地局サブシステムＢＳＳと移動局との間のインターフェイス上で送信された割当て命令メッセージのチャネルモード情報要素のモードとして符号化されたチャネルモード情報要素を含み、前記符号化が、ＢＳＳと移動局との間のインターフェイス上における単一タイムスロットによってサポートされる最大ビットレートより高いビットレート値が前記チャネルモード情報要素において設定され得るように符号化するものであり、前記シグナリングされたビットレート情報が、前記アクティベートチャネルＵＲＲ／ＧＡ−ＣＳＲメッセージのチャネルモード情報要素において前記符号化によって設定された、前記最大ビットレートよりも高い少なくとも１つのビットレート値に対応することを特徴とする移動局。
【発明の詳細な説明】
【技術分野】
【０００１】
本発明は概略として移動体通信システムに関する。
【背景技術】
【０００２】
一般に移動体通信システムは標準化され、それゆえ、そのようなシステムの詳細な説明は、例えば３ＧＰＰ（第３世代パートナーシッププロジェクト）のような対応する標準化団体によって発行された対応する標準規格において知ることができる。
【０００３】
移動体通信ネットワークのアーキテクチャがアクセスネットワーク（ＡＮ）とコアネットワーク（ＣＮ）に論理的に分割され、コアネットワークのアーキテクチャが回線交換（ＣＳ）ドメインとパケット交換（ＰＳ）ドメイン等の異なるドメインに論理的に分割されることがまず想起される。
【０００４】
そのようなシステムの例はＧＳＭ／ＧＰＲＳシステムであり、図１に示すように：
・ＡＮ、つまり基地局サブシステム（ＢＳＳ）は、特定の基地送受信局（ＢＴＳ）及び基地局コントローラ（ＢＳＣ）等のネットワーク要素からなる。
・ＣＮは、ＣＳドメインに対する特定の移動交換センタ（ＭＳＣ）、及びＰＳドメインに対するサービングＧＰＲＳサポートノード（ＳＧＳＮ）等のネットワーク要素からなる。
【０００５】
ＧＳＭによって使用される無線アクセス技術は時分割多重アクセス（ＴＤＭＡ）に基づき、ＡＮと移動局（ＭＳ）間の無線インターフェイス上の伝送構造はフレームによって統制され、タイムスロットによって統制される。
【０００６】
図３に示すように、ＧＳＭのようなシステムにおけるリソース管理手順は、ＢＳＳ管理アプリケーションパート（ＢＳＳＭＡＰ）プロトコルによる割当て要求メッセージのＭＳＣからＢＳＳへの送信、及び無線リソース制御（ＲＲＣ）プロトコルによる割当て命令メッセージのＢＳＳからＭＳへの送信を含む。
【０００７】
３ＧＰＰ ＴＳ４４.０１８において指定されているように、割当て命令メッセージはＭＳによって使用されるチャネル構成の記述を含む。特に、割当て命令メッセージはチャネルモード情報要素を含み、これによって符号化／復号化及びトランスコーティングのモードについての情報が与えられ、以下のように符号化される。
【表１】
2009524958.tif 000003
【０００８】
従って、ＧＳＭ規格において、１つのタイムスロットに対する無線インターフェイス上のビットレートはチャネルモード情報要素によって規定される。ＧＳＭ革新（ＥＤＧＥ）技術に対する向上したデータレートがあれば、単一のタイムスロットで４３.５ｋｂｉｔ／ｓの最大ビットレートまで上げることが可能となる。
【０００９】
一般に、初期的に主に電話サービスをサポートするために設計されたそのようなシステム（例えば上述のＧＳＭシステム）が高ビットレートサービス（特にビデオ電話サービス等）をサポートすることを可能とするために、単一のタイムスロットではなく複数のタイムスロットを移動局に割り当てることを可能とするマルチスロット割当てメカニズムが規定されてきた。
【００１０】
従って、ＧＳＭ規格において、ＭＳＣはＡインターフェイス上で割当て要求メッセージを介して高ビットレートをリクエストすることができる。特に、これによって６４ｋｂｉｔ／ｓのＨ.３２４Ｍビデオ電話及び高ビットレートのサポートが可能となる。
【００１１】
マルチスロット割当てメカニズムをサポートするために、割当て命令メッセージは、「チャネルセットのモード」情報要素のリストがその後に続く「マルチスロット構成の記述（マルチスロット割当て）」情報要素を含む。マルチスロット割当て情報要素の目的は、マルチスロット構成においてどのチャネルがダウンリンクとアップリンクでそれぞれ使用されるかの記述を提供することである。それはまたチャネルをチャネルセットにグループ化し、チャネルセットは関係するユーザ情報フローを搬送するチャネルを特定するために使用され、それゆえ共に扱われる必要がある。各チャネルセットに対するチャネルモードは個々の「チャネルセットのモード」情報要素によって規定される。
【００１２】
言い換えると、ＧＳＭ規格において、より高いビットレートを可能とするいくつかのタイムスロットの組み合わせが可能であり、それは「マルチスロット構成の記述」情報要素を介して割当て命令メッセージにおいて規定される。
【００１３】
一般に、そのようなシステムは固定された移動体収束に向かって進化することもある。
そのような進化の例は、移動体サービスが、例えば上述のＧＳＭの基地局サブシステムアクセスネットワークのようなアクセスネットワークを介してだけでなく、固定された（ブロードバンド）ネットワークを用いるアクセスネットワークを介しても同じコアネットワークによって移動局に提供されるシステムに対応する。
【００１４】
固定されたネットワークを用いるアクセスネットワークの例示は、特に、ＵＭＡ規格において及び３ＧＰＰ規格において規定される非ライセンスモバイルアクセスネットワーク（ＵＭＡＮ）又はジェネリックアクセスネットワーク（ＧＡＮ）に対応し、ＧＳＭ／ＧＰＲＳのようなシステムによって提供される従来的な収束に対する補完を与える。
【００１５】
図２に示すように、ＵＭＡＮ／ＧＡＮのためのアーキテクチャは、特に、次の要素からなる。
・移動局（ＭＳ）
・非ライセンスネットワークコントローラ（ＵＣＮ）／ジェネリックアクセスネットワークコントローラ（ＧＡＮＣ）
【００１６】
ＵＮＣ／ＧＡＮＣはＢＳＳとしてのＣＮにみられる。ＵＮＣ／ＧＡＮＣはＣＳドメインとＡインターフェイスを介して、及びＰＳドメインとＧｂインターフェイスを介して通信する。ＭＳとＵＮＣ／ＧＡＮＣは高ビットレートをサポートするブロードバンド又はジェネリックＩＰアクセスネットワーク（図２には特に示していない）を介して通信する。ＵＮＣ／ＧＡＮＣとＭＳとの間のインターフェイスはＵｐインターフェイスと言われる。ＵＭＡＮ／ＧＡＮのユーザは、高ビットレートをサポートすることを可能とするブルートゥース（登録商標）やＷｉＦｉ等のワイヤレス技術を用いる。
【００１７】
より一般的には、高ビットレートをサポートするそのような（ＵＭＡＮ／ＧＡＮネットワーク等の）アクセスネットワークは、（ＢＳＳやＧＳＭの無線アクセスネットワーク等の）非ブロードバンドアクセスネットワークとの対比として、以降ではブロードバンドアクセスネットワークともいう。
【００１８】
図４に示すように、図２に示すシステムにおけるリソース管理手順は、ＵＭＡ／３ＧＰＰ規格において指定されているように、ＢＳＳ管理アプリケーションパート（ＢＳＳＭＡＰ）による割当て要求メッセージのＭＳＣからＵＮＣ／ＧＡＮＣへの送信、及びアクティベートチャネルＵＲＲ／ＧＡ−ＣＳＲのＵＮＣ／ＧＡＮＣからＭＳへの送信を含む。
【００１９】
アクティベートチャネルＵＲＲ／ＧＡ−ＣＳＲメッセージは、特にアップリンクＲＴＰストリーム等に対するチャネルモード、ＵＤＰポート及びＩＰアドレスのようなＵＭＡ／ＧＡＮベアラ経路設定情報要素を含む。チャネルモード情報要素によって符号化／復号化及びトランスコーティングのモードについての情報が与えられる。
【００２０】
ＵＭＡ／３ＧＰＰ規格の現状によると、３ＧＰＰ ＴＳ４４.０１８において規定されるチャネルモード情報要素がアクティベートチャネルＵＲＲ／ＧＡ−ＣＳＲメッセージにおいて再利用される。
【００２１】
このような流れにおいて、本発明は特に以下の問題を認識している。
ＵＭＡ／３ＧＰＰ規格の現状では、ＣＮがＣＳドメインにおいてＡインターフェイスを介して高ビットレートを要求することはできるが、ＵＮＣ／ＧＡＮＣがこれらのビットレートをＭＳへＵｐインターフェイス上でシグナリングすることはできない。もちろん、３ＧＰＰ ＴＳ４４.０１８において規定されるチャネルモード情報要素は、ＵＭＡＮ／ＧＡＮ無線インターフェイスがＧＳＭ無線インターフェイスと同様に統制されていないことを考慮することなく、アクティベートチャネルＵＲＲ／ＧＡ−ＣＳＲメッセージにおいて再利用される。従って、ＵＭＡＮ／ＧＡＮ規格の現状では、ＧＳＭチャネルモード情報要素において規定されるビットレート、即ち、４３.５ｋｂｉｔ／ｓを超えるビットレートをシグナリングすることはできない。言い換えると、ＵＭＡＮ／ＧＡＮ規格の現状では、Ａインターフェイスを介してコアネットワークによって要求されるより高いビットレートをサポートすることはできない。特に、ビデオ電話をサポートすることはできない。更に言い換えると、特にＵＭＡＮ又はＧＡＮのようなブロードバンドアクセスネットワークを介したアクセスの場合、ＣＳサービスのためのより高いビットレートのサポートを可能とするメカニズムに対する要望がある。
【００２２】
本発明は、特に、上述した問題の一部又は全部を解決し、上述の欠点の部分又は全部を解消できるようにするものである。特に、ＵＭＡ／３ＧＰＰ規格の現状にできるだけ変更を加えずに、そのような高ビットレートサービスのサポートを可能とすることが本発明の課題である。より一般的には、そのようなシステムにおけるパフォーマンスを改善することが本発明の課題となる。
【発明の開示】
【課題を解決するための手段】
【００２３】
これら及び他の課題が、本発明の一側面において、移動体通信システムにおける高ビットレートサービスのサポートのための方法によって解決される。その方法は、ネットワークエンティティが移動局に、ブロードバンドアクセスネットワークを介したアクセスの場合に使用されるシグナリング手順に従って、非ブロードバンドアクセスネットワークを介したアクセスの場合に規定される最大ビットレートよりも高い少なくとも１つのビットレートを、その非ブロードバンドアクセスネットワークを介したアクセスの場合に使用されるシグナリング手順によって規定されたビットレート（複数）に基づいて、シグナリングするステップからなる。
【００２４】
これら及び他の課題が、本発明の他の一側面において、非ライセンスモバイルアクセスネットワークＵＭＡＮ／ジェネリックアクセスネットワークＧＡＮにおける非ライセンスネットワークコントローラＵＮＣ／ジェネリックアクセスネットワークコントローラＧＡＮＣと移動局との間のインターフェイス上でのビットレート情報のシグナリングのための方法によって解決される。その方法は、ＵＮＣ／ＧＡＮＣが移動局にアクティベートチャネルＵＲＲ／ＧＡ−ＣＳＲメッセージを送信するステップからなり、そのメッセージはＧＳＭネットワークにおける基地局サブシステムＢＳＳと移動局との間のインターフェイス上で送信された割当て命令メッセージのチャネルモード情報要素として符号化されたチャネルモード情報要素を含み、その符号化は、ＢＳＳと移動局との間のインターフェイス上における単一のタイムスロットによってサポートされる最大ビットレートより高くないビットレート値がチャネルモード情報要素において設定されるように符号化するものであり、そのアクティベートチャネルＵＲＲ／ＧＡ−ＣＳＲメッセージはさらに乗算ファクタパラメータを含み、シグナリングされたビットレート情報は、アクティベートチャネルＵＲＲ／ＧＡ−ＣＳＲメッセージのチャネルモード情報要素における符号化によって設定された少なくとも１つのビットレート値に乗算ファクタパラメータを乗算することによって得られる。
【００２５】
これら及び他の課題が、本発明の他の一側面において、非ライセンスモバイルアクセスネットワークＵＭＡＮ／ジェネリックアクセスネットワークＧＡＮにおける非ライセンスネットワークコントローラＵＮＣ／ジェネリックアクセスネットワークコントローラＧＡＮＣと移動局との間のインターフェイス上でのビットレート情報のシグナリングのための方法によって解決される。その方法は、ＵＮＣ／ＧＡＮＣが移動局にアクティベートチャネルＵＲＲ／ＧＡ−ＣＳＲメッセージを送信するステップからなり、そのメッセージはＧＳＭネットワークにおけるＢＳＳと移動局との間のインターフェイス上で送信された割当て命令メッセージのチャネルセット情報要素のモードとして符号化された複数のチャネルセット情報要素のモードを含み、その符号化は、ＢＳＳと移動局との間のインターフェイス上における単一のタイムスロットによってサポートされる最大ビットレートより高くないビットレート値がチャネルセット情報要素のモードにおいて設定されるように符号化するものであり、シグナリングされたビットレート情報は、アクティベートチャネルＵＲＲ／ＧＡ−ＣＳＲの複数のチャネルセット情報要素のモードにおける符号化によって設定されたビットレート値の加算によって得られる。
【００２６】
これら及び他の課題が、本発明の他の一側面において、非ライセンスモバイルアクセスネットワークＵＭＡＮ／ジェネリックアクセスネットワークＧＡＮにおける非ライセンスネットワークコントローラＵＮＣ／ジェネリックアクセスネットワークコントローラＧＡＮＣと移動局との間のインターフェイス上でのビットレート情報のシグナリングのための方法によって解決される。その方法は、ＵＮＣ／ＧＡＮＣが移動局にアクティベートチャネルＵＲＲ／ＧＡ−ＣＳＲメッセージを送信するステップからなり、そのメッセージはＧＳＭネットワークにおける基地局サブシステムＢＳＳと移動局との間のインターフェイス上で送信された割当て命令メッセージのチャネルモード情報要素のモードとして符号化されたチャネルモード情報要素を含み、その符号化は、ＢＳＳと移動局との間のインターフェイス上における単一のタイムスロットによってサポートされる最大ビットレートより高いビットレート値がチャネルモード情報要素において設定され得るように符号化するものであり、シグナリングされたビットレート情報は、アクティベートチャネルＵＲＲ／ＧＡ−ＣＳＲメッセージのチャネルモード情報要素における符号化によって設定された、当該最大ビットレートよりも高い少なくとも１つのビットレート値に対応する。
【００２７】
本発明は、その課題に対して、上記方法のいずれか１つを実行するためのＵＮＣ／ＧＡＮＣのようなネットワークエンティティ、及び移動局も提供する。
本発明のこれら及び他の課題解決が、付随する図面を参照して、以下の説明からより明らかとなる。
【発明を実施するための最良の形態】
【００２８】
本発明を以下に説明する。
本発明は、対応するメッセージがアクティベートチャネルＵＲＲ／ＧＡ−ＣＳＲ＊で記された図５に示すように、Ｕｐインターフェイスを介して既存のアクティベートチャネルＵＲＲ／ＧＡ−ＣＳＲメッセージにおけるパラメータを追加又は修正することによって、ＣＳドメインにおいてコアネットワークによって要求された高ビットレートを可能とするために、特にＵＭＡ／３ＧＰＰ規格を強化することを提案するものである。
【００２９】
その異なる側面の１つにおいて、本発明はアクティベートチャネルＵＲＲ／ＧＡ−ＣＳＲメッセージにおける「乗算ファクタ」パラメータを追加することを提案する。このパラメータは、このメッセージのチャネルモード乗算要素におけるビットレート（アップリンク及びダウンリンク）のセットの乗算ファクタとして使用される。
【００３０】
言い換えると、その異なる側面の１つにおいて、本発明は、非ライセンスモバイルアクセスネットワークＵＭＡＮ／ジェネリックアクセスネットワークＧＡＮにおける非ライセンスネットワークコントローラＵＮＣ／ジェネリックアクセスネットワークコントローラＧＡＮＣと移動局との間のインターフェイス上でのビットレート情報のシグナリングのための方法を提案するものである。その方法は、ＵＮＣ／ＧＡＮＣが移動局にアクティベートチャネルＵＲＲ／ＧＡ−ＣＳＲメッセージを送信するステップからなり、そのメッセージはＧＳＭネットワークにおける基地局サブシステムＢＳＳと移動局との間のインターフェイス上で送信された割当て命令メッセージのチャネルモード情報要素として符号化されたチャネルモード情報要素を含み、その符号化は、ＢＳＳと移動局との間のインターフェイス上における単一のタイムスロットによってサポートされる最大ビットレートより高くないビットレート値がチャネルモード情報要素において設定されるように符号化するものであり、そのアクティベートチャネルＵＲＲ／ＧＡ−ＣＳＲメッセージはさらに乗算ファクタパラメータを含み、シグナリングされたビットレート情報は、アクティベートチャネルＵＲＲ／ＧＡ−ＣＳＲメッセージのチャネルモード情報要素における符号化によって設定された少なくとも１つのビットレート値に乗算ファクタパラメータを乗算することによって得られる。
【００３１】
本発明はまた、上記方法を実行するためのＵＮＣ／ＧＡＮＣのようなネットワークエンティティ、及び移動局を提案するものである。
【００３２】
従って、本発明は非ライセンスモバイルアクセスネットワークＵＭＡＮ／ジェネリックアクセスネットワークＧＡＮにおける非ライセンスネットワークコントローラＵＮＣ／ジェネリックアクセスネットワークコントローラＧＡＮＣも提案するものであり、それはビットレート情報を移動局にシグナリングするための手段を備え、当該手段は移動局にアクティベートチャネルＵＲＲ／ＧＡ−ＣＳＲメッセージを送信する手段を備え、当該メッセージはＧＳＭネットワークにおける基地局サブシステムＢＳＳと移動局との間のインターフェイス上で送信された割当て命令メッセージのチャネルモード情報要素として符号化されたチャネルモード情報要素を含み、その符号化は、ＢＳＳと移動局との間のインターフェイス上における単一のタイムスロットによってサポートされる最大ビットレートより高くないビットレート値がチャネルモード情報要素において設定されるように符号化するものであり、そのアクティベートチャネルＵＲＲ／ＧＡ−ＣＳＲメッセージはさらに乗算ファクタパラメータを含み、シグナリングされたビットレート情報は、アクティベートチャネルＵＲＲ／ＧＡ−ＣＳＲメッセージのチャネルモード情報要素における符号化によって設定された少なくとも１つのビットレート値に乗算ファクタパラメータを乗算することによって得られる。
【００３３】
従って、本発明は非ライセンスモバイルアクセスネットワークＵＭＡＮ／ジェネリックアクセスネットワークＧＡＮにおける非ライセンスネットワークコントローラＵＮＣ／ジェネリックアクセスネットワークコントローラＧＡＮＣによってシグナリングされたビットレート情報を受信するための手段を備える移動局も提案する。当該手段は、
・ＵＮＣ／ＧＡＮＣからのアクティベートチャネルＵＲＲ／ＧＡ−ＣＳＲメッセージを受信する手段であって、当該メッセージが、ＧＳＭネットワークにおける基地局サブシステムＢＳＳと移動局との間のインターフェイス上で送信された割当て命令メッセージのチャネルモード情報要素として符号化されたチャネルモード情報要素を含み、その符号化が、ＢＳＳと移動局との間のインターフェイス上における単一のタイムスロットによってサポートされる最大ビットレートより高くないビットレート値がチャネルモード情報要素において設定されるように符号化するものであり、そのアクティベートチャネルＵＲＲ／ＧＡ−ＣＳＲメッセージがさらに乗算ファクタパラメータを含む、手段、
・上記のシグナリングされたビットレート情報を取得するために、アクティベートチャネルＵＲＲ／ＧＡ−ＣＳＲメッセージのチャネルモード情報要素における符号化によって設定された少なくとも１つのビットレート値に乗算ファクタパラメータを乗算するための手段
を備える。
【００３４】
その異なる側面の１つにおいて、本発明は、チャネルの組み合わせを記述する（３ＧＰＰ ＴＳ４４.０１８において指定される）割当て命令メッセージ、即ち、「マルチスロット構成の記述」情報要素及び関連する割当て命令メッセージの「チャネルセットのモード」情報要素に存在するパラメータにいくつかのパラメータを追加することを提案するものである。
【００３５】
マルチスロット割当て情報要素の目的は、ダウンリンク及びアップリンクそれぞれにおいて使用されるチャネルの記述をマルチスロット構成において提供することである。それはチャネルをチャネルセットにグループ化し、各チャネルセットに対するチャネルモードは独立した情報要素によって規定され得る。チャネルモード情報要素によって符号化／復号化及びトランスコーティングについてのモードの情報が与えられる。従って、本発明の本側面において、マルチスロット割当て情報要素を搬送する割当て命令によってブロードバンド無線インターフェイスで搬送される総合スループットは、マルチスロット割当て情報要素において記述される全てのチャネルセットにて申告された全てのスループットの合計である。
【００３６】
言い換えると、その異なる側面の１つにおいて、本発明は、非ライセンスモバイルアクセスネットワークＵＭＡＮ／ジェネリックアクセスネットワークＧＡＮにおける非ライセンスネットワークコントローラＵＮＣ／ジェネリックアクセスネットワークコントローラＧＡＮＣと移動局との間のインターフェイス上でのビットレート情報のシグナリングのための方法を提案するものである。その方法は、ＵＮＣ／ＧＡＮＣが移動局にアクティベートチャネルＵＲＲ／ＧＡ−ＣＳＲメッセージを送信するステップからなり、当該メッセージはＧＳＭネットワークにおけるＢＳＳと移動局との間のインターフェイス上で送信された割当て命令メッセージのチャネルセット情報要素のモードとして符号化された複数のチャネルセット情報要素のモードを含み、その符号化は、ＢＳＳと移動局との間のインターフェイス上における単一のタイムスロットによってサポートされる最大ビットレートより高くないビットレート値がチャネルセット情報要素のモードにおいて設定されるように符号化するものであり、シグナリングされたビットレート情報は、アクティベートチャネルＵＲＲ／ＧＡ−ＣＳＲの複数のチャネルセット情報要素のモードにおける符号化によって設定されたビットレート値の加算によって得られる。
【００３７】
本発明はまた、上記方法を実行するためのＵＮＣ／ＧＡＮＣのようなネットワークエンティティ、及び移動局を提案するものである。
【００３８】
従って本発明は、ビットレート情報を移動局にシグナリングするための手段を備える、非ライセンスモバイルアクセスネットワークＵＭＡＮ／ジェネリックアクセスネットワークＧＡＮにおける非ライセンスネットワークコントローラＵＮＣ／ジェネリックアクセスネットワークコントローラＧＡＮＣも提案する。当該手段は、移動局にアクティベートチャネルＵＲＲ／ＧＡ−ＣＳＲメッセージを送信するための手段を備え、当該メッセージはＧＳＭネットワークにおける基地局サブシステムＢＳＳと移動局との間のインターフェイス上で送信された割当て命令メッセージのチャネルセット情報要素のモードとして符号化された複数のチャネルセット情報要素のモードを含み、その符号化は、ＢＳＳと移動局との間のインターフェイス上における単一のタイムスロットによってサポートされる最大ビットレートより高くないビットレート値がチャネルセット情報要素のモードにおいて設定されるように符号化するものであり、シグナリングされたビットレート情報は、アクティベートチャネルＵＲＲ／ＧＡ−ＣＳＲメッセージの複数のチャネルセット情報要素のモードにおける符号化によって設定されたビットレート値の加算によって得られる。
【００３９】
従って本発明は、非ライセンスモバイルアクセスネットワークＵＭＡＮ／ジェネリックアクセスネットワークＧＡＮにおける非ライセンスネットワークコントローラＵＮＣ／ジェネリックアクセスネットワークコントローラＧＡＮＣによってシグナリングされたビットレート情報を受信するための手段を備える移動局も提案する。当該手段は、
・ＵＮＣ／ＧＡＮＣからのアクティベートチャネルＵＲＲ／ＧＡ−ＣＳＲメッセージを受信する手段であって、当該メッセージが、ＧＳＭネットワークにおけるＢＳＳと移動局との間のインターフェイス上で送信された割当て命令メッセージのチャネルセット情報要素のモードとして符号化された複数のチャネルセット情報要素のモードを含み、その符号化が、ＢＳＳと移動局との間のインターフェイス上における単一のタイムスロットによってサポートされる最大ビットレートより高くないビットレート値がチャネルセット情報要素のモードにおいて設定されるように符号化するものである、手段、
・上記のシグナリングされたビットレート情報を取得するために、アクティベートチャネルＵＲＲ／ＧＡ−ＣＳＲメッセージの複数のチャネルセット情報要素のモードにおける符号化によって設定された複数の少なくとも１つのビットレート値を加算するための手段
を備える。
【００４０】
その異なる側面の１つにおいて、本発明は、基地局サブシステムと移動局との間のインターフェイス上で送信された割当て命令メッセージのチャネルモード情報要素の候補値の定義において、ＢＳＳと移動局との間のインターフェイスの場合において送信され得るよりも高い要求ビットレートを記述することを可能とする新しい候補値を追加することを提案するものである。
【００４１】
言い換えると、その異なる側面の１つにおいて、本発明は、非ライセンスモバイルアクセスネットワークＵＭＡＮ／ジェネリックアクセスネットワークＧＡＮにおける非ライセンスネットワークコントローラＵＮＣ／ジェネリックアクセスネットワークコントローラＧＡＮＣと移動局との間のインターフェイス上でのビットレート情報のシグナリングのための方法を提案するものである。その方法は、ＵＮＣ／ＧＡＮＣが移動局にアクティベートチャネルＵＲＲ／ＧＡ−ＣＳＲメッセージを送信するステップからなり、そのメッセージはＧＳＭネットワークにおける基地局サブシステムＢＳＳと移動局との間のインターフェイス上で送信された割当て命令メッセージのチャネルモード情報要素のモードとして符号化されたチャネルモード情報要素を含み、その符号化は、ＢＳＳと移動局との間のインターフェイス上における単一のタイムスロットによってサポートされる最大ビットレートより高いビットレート値がチャネルモード情報要素において設定され得るように符号化するものであり、シグナリングされたビットレート情報は、アクティベートチャネルＵＲＲ／ＧＡ−ＣＳＲメッセージのチャネルモード情報要素における符号化によって設定された、当該最大ビットレートよりも高い少なくとも１つのビットレート値に対応する。
【００４２】
本発明はまた、上記方法を実行するためのＵＮＣ／ＧＡＮＣのようなネットワークエンティティ、及び移動局を提案するものである。
【００４３】
従って、本発明は、ビットレート情報を移動局にシグナリングするための手段を備える、非ライセンスモバイルアクセスネットワークＵＭＡＮ／ジェネリックアクセスネットワークＧＡＮにおける非ライセンスネットワークコントローラＵＮＣ／ジェネリックアクセスネットワークコントローラＧＡＮＣも提案する。当該手段は、ＵＮＣ／ＧＡＮＣが移動局にアクティベートチャネルＵＲＲ／ＧＡ−ＣＳＲメッセージを送信する手段からなり、そのメッセージはＧＳＭネットワークにおける基地局サブシステムＢＳＳと移動局との間のインターフェイス上で送信された割当て命令メッセージのチャネルモード情報要素のモードとして符号化されたチャネルモード情報要素を含み、その符号化は、ＢＳＳと移動局との間のインターフェイス上における単一のタイムスロットによってサポートされる最大ビットレートより高いビットレート値がチャネルモード情報要素において設定され得るように符号化するものであり、シグナリングされたビットレート情報は、アクティベートチャネルＵＲＲ／ＧＡ−ＣＳＲメッセージのチャネルモード情報要素における符号化によって設定された、当該最大ビットレートよりも高い少なくとも１つのビットレート値に対応する。
【００４４】
従って、本発明は、非ライセンスモバイルアクセスネットワークＵＭＡＮ／ジェネリックアクセスネットワークＧＡＮにおける非ライセンスネットワークコントローラＵＮＣ／ジェネリックアクセスネットワークコントローラＧＡＮＣによってシグナリングされたビットレート情報を受信ための手段を備える移動局も提案する。当該手段は、ＵＮＣ／ＧＡＮＣからアクティベートチャネルＵＲＲ／ＧＡ−ＣＳＲメッセージを受信する手段からなり、そのメッセージはＧＳＭネットワークにおけるＢＳＳと移動局との間のインターフェイス上で送信された割当て命令メッセージのチャネルモード情報要素のモードとして符号化されたチャネルモード情報要素を含み、その符号化は、ＢＳＳと移動局との間のインターフェイス上における単一のタイムスロットによってサポートされる最大ビットレートより高いビットレート値がチャネルモード情報要素において設定され得るように符号化するものであり、シグナリングされたビットレート情報は、アクティベートチャネルＵＲＲ／ＧＡ−ＣＳＲメッセージのチャネルモード情報要素における符号化によって設定された、当該最大ビットレートよりも高い少なくとも１つのビットレート値に対応する。
【００４５】
さらにその異なる側面の１つにおいて、本発明は、移動体通信システムにおいて高ビットレートサービスのサポートのための方法を提案するものである。その方法は、ネットワークエンティティが移動局に、ブロードバンドアクセスネットワークを介したアクセスの場合に使用されるシグナリング手順に従って、非ブロードバンドアクセスネットワークを介したアクセスの場合に規定される最大ビットレートよりも高い少なくとも１つのビットレートを、その非ブロードバンドアクセスネットワークを介したアクセスの場合に使用されるシグナリング手順によって規定されたビットレート（複数）に基づいて、シグナリングするステップからなる。
【００４６】
一例として、上記最大ビットレートはＴＤＭＡを用いる非ブロードバンドアクセスネットワークの単一のタイムスロットにおいてサポートされる最大ビットレートである。
【００４７】
一実施例において、上記シグナリングするステップは、上記単一のタイムスロットの最大ビットレートよりも低いか等しいビットレートに対応する第１の情報、及び上記単一のタイムスロットの最大ビットレートのよりも高いビットレートを第１の情報との組み合わせにおいて示すことを可能とする第２の情報のシグナリングからなる。
【００４８】
一例として、上記第２の情報は乗算ファクタに相当する。
【００４９】
他の実施例において、上記シグナリングするステップは、上記単一のタイムスロットの最大ビットレートよりも低いか等しいいくつかのビットレートのシグナリングからなり、併せて、上記単一のタイムスロットの最大ビットレートのよりも高いビットレートを示すことを可能とする。
【００５０】
一例として、上記のいくつかのビットレートのシグナリングはＴＤＭＡを用いる非ブロードバンドアクセスネットワークを介したアクセスの場合におけるマルチスロット構成の記述に使用される手順に基づく。
【００５１】
他の実施例において、上記シグナリングするステップは、上記単一のタイムスロットの最大ビットレートよりも高いビットレートのシグナリングからなる。
【００５２】
一例として、上記のブロードバンドアクセスネットワークは非ライセンスモバイルアクセスネットワークに対応し、上記シグナリングするステップは非ライセンスネットワークコントローラによるＵＭＡ ＲＲ アクティベートチャネルメッセージの上記移動局への送信からなる。
【００５３】
他の例として、上記ブロードバンドアクセスネットワークはジェネリックアクセスネットワークに対応し、上記シグナリングするステップはジェネリックアクセスネットワークコントローラによるＧＡ−ＣＳＲアクティベートチャネルメッセージの上記移動局への送信からなる。
【００５４】
一例として、上記非ブロードバンドアクセスネットワークはＧＳＭの基地局サブシステムに対応し、上記非ブロードバンドアクセスネットワークを介したアクセスの場合に使用されるシグナリング手順は上記基地局サブシステムによる割当て命令メッセージの移動局への送信からなる。
【００５５】
本発明はまた、上記方法を実行するためのＵＮＣ／ＧＡＮＣのようなネットワークエンティティ、及び移動局も提案する。
【００５６】
従って、本発明はまた、ブロードバンドアクセスネットワークを介したアクセスの場合に使用されるシグナリング手順に従って、非ブロードバンドアクセスネットワークを介したアクセスの場合に規定される最大ビットレートよりも高い少なくとも１つのビットレートを、その非ブロードバンドアクセスネットワークを介したアクセスの場合に使用されるシグナリング手順によって規定されたビットレート（複数）に基づいて、移動局にシグナリングするための手段を備えた移動体通信システムのためのネットワークエンティティも提案する。
【００５７】
従って、本発明はまた、ブロードバンドアクセスネットワークを介したアクセスの場合に使用されるシグナリング手順に従って、非ブロードバンドアクセスネットワークを介したアクセスの場合に規定される最大ビットレートよりも高い少なくとも１つのビットレートを、その非ブロードバンドアクセスネットワークを介したアクセスの場合に使用されるシグナリング手順によって規定されたビットレート（複数）に基づいて、受信するための手段を備えた移動局も提案する。
【００５８】
上述の手段の詳細な実装は当業者であれば何ら問題なくできるものであり、従って、そのような手段については、当業者において上記にそれらの機能によって開示した以上の完全な開示を要しない。
【図面の簡単な説明】
【００５９】
【図１】ＧＳＭ／ＧＰＲＳの一般的なアーキテクチャを示す図である。
【図２】ＵＭＡＮ／ＧＡＮの一般的なアーキテクチャを示す図である。
【図３】ＧＳＭネットワークにおける割当て命令メッセージのシグナリングを示す図である。
【図４】ＵＭＡＮ／ＧＡＮネットワークにおけるアクティベートチャネルＵＲＲ／ＧＡ−ＣＳＲメッセージのシグナリングを示す図である。
【図５】本発明による方法の一例を示す図である。
【図１】
2009524958.tif 000004
【図２】
2009524958.tif 000005
【図３】
2009524958.tif 000006
【図４】
2009524958.tif 000007
【図５】
2009524958.tif 000008
【国際調査報告】
2009524958.tif 000009
2009524958.tif 000010
2009524958.tif 000011